(57)【要約】 【課題】  薬局等の医薬品販売店において、顧客に適した商品の陳列場所が見つけやすく、かつ同種の商品の効能や成分の比較検討が行いやすいとともに、販売店にとっても商品管理が行いやすい医薬品販売用什器を提供する。【解決手段】  医薬品等の販売に用いられる什器であって、商品は商品収納用引出２１に収納され、サイン１０の商品表示部２１には、商品の価格、効能、成分等に関する情報が比較しやすいように表示されている。商品表示部２１には、商品本体が収納されている商品収納用引出２１と共通の引出番号が付されている。【選択図】        図２
0003116274.tif 000002
【実用新案登録請求の範囲】
【請求項１】
医薬品販売店に設置される商品の展示及び収納に用いられる什器であって、
商品は什器正面に向けて引き出すことができる２以上の商品収納用引出に収納され、什器正面の少なくとも一部には什器に収納された商品の内容を表示するためのサインが設けられていて、
前記商品収納用引出には、什器正面側に引出番号が付され、
前記サインには、前記商品収納用引出に収納された商品の商品写真、効能、成分に関する情報が少なくとも含まれる商品情報が、前記商品の収納された商品収納用引出の引出番号を付して表示されていること
を特徴とする医薬品販売用什器。
【請求項２】
少なくとも１の商品収納用引出には、効能が共通する２以上の商品が収納されていて、
前記サインには、前記商品収納用引出に対応する同一の引出番号が付された２以上の商品に関する商品情報が、上下又は前後の対比しやすい位置に表示されていること
を特徴とする請求項１記載の医薬品販売用什器。
【請求項３】
１の什器には、効能を有する体の部位が共通する商品のみが収納されていて、
前記サインには、前記部位に関する情報が表示されていること
を特徴とする請求項１又は２に記載の医薬品販売用什器。
【考案の詳細な説明】
【技術分野】
【０００１】
本考案は、医薬品販売店に設置される商品の展示及び収納に用いられる什器に関するものである。
【背景技術】
【０００２】
薬局等の医薬品販売店における市販薬の販売方式は、従前は薬剤師のいるカウンター越しの棚に商品を陳列し、顧客の要望に応じて薬剤師が適切な商品を棚から取り出して販売することが一般的であったが、競合の激化によってドラッグストア形式の店舗が増加し、近年はスーパーやコンビニエンスストア等で用いられるような販売棚（例えば、特許文献１参照。）に市販薬を陳列し、顧客が直接商品を手にとって購入する販売方式が多くなっている。
【０００３】
このように販売棚に市販薬を陳列する販売方式では、風邪薬、頭痛薬、胃腸薬のように、各々の症状によって分類される商品毎に、同一の分類に属する商品が固めて陳列されることが一般的である。特に近年、ドラックストア業界においては値引き等の販売競争が激化しており、価格面での優位性をアピールするために、ＰＯＰ広告などによって価格表示を強調することも行われている。
【０００４】
【特許文献１】公開実用新案平成４年第６１２８４号公報
【考案の開示】
【考案が解決しようとする課題】
【０００５】
上記のような販売棚を用いた販売方式によると、顧客は直接商品を手にとって手軽に購入しやすいというメリットがあるものの、各々の市販薬に含まれる成分や効能について十分に理解し、同種の商品を比較検討することが容易ではない。店舗運営の効率化が必要であるとしても、薬本来の目的を考えると、顧客がその成分や効能を十分に理解した上で販売されるべきものである。また、一般に商品は症状によって分類して陳列されるため、例えば体のある部位に異常を感じて市販薬を購入したい場合などには、初めから薬の分類を特定できていないと、どの商品を購入したらよいのかがわかりにくいという問題点も有している。
【０００６】
その他に、販売店側にとっては、顧客が実際に商品を手に取ることによって生じる問題として、盗難が発生しやすい、手に取った商品を本来とは異なる場所に戻されてしまうこともある、といった課題が生じやすい。また、店内の在庫数量を確認する場合においては、各々の棚にある商品を１点ずつ数え直す足し算方式によって行うことになるため、在庫確認に手間がかかり間違いも生じやすいという問題が生じやすい。
【０００７】
本考案は、これらの課題を解決するためになされたものであり、薬局等の医薬品販売店において、顧客に適した商品の陳列場所が見つけやすく、かつ同種の商品の効能や成分の比較検討が行いやすいとともに、販売店にとっても商品管理が行いやすい医薬品販売用什器を提供することを目的とするものである。
【課題を解決するための手段】
【０００８】
これらの課題を解決するために、本考案は、医薬品販売店に設置される商品の展示及び収納に用いられる什器であって、商品は什器正面に向けて引き出すことができる２以上の商品収納用引出に収納され、什器正面の少なくとも一部には什器に収納された商品の内容を表示するためのサインが設けられていて、前記商品収納用引出には、什器正面側に引出番号が付され、前記サインには、前記商品収納用引出に収納された商品の商品写真、効能、成分に関する情報が少なくとも含まれる商品情報が、前記商品の収納された商品収納用引出の引出番号を付して表示されていることを特徴とする。
【０００９】
本考案によると、商品本体は収納用引出に収納し、収納された商品の効能等をサイン部分に引出番号を付して表示することによって、顧客はサイン部分のみを確認して商品を探したり、同種の商品を比較対照したりして購入する商品を決定することができるとともに、決定した商品本体の収納場所を、引出番号をキーに容易に特定することが可能になる。
【００１０】
商品本体は収納用引出内に収納されており、購入を決める前段階で顧客が商品を手に取る機会が減少することになるため、商品管理上も盗難リスク等が軽減されるとともに、商品の棚卸時においては、引出の収納容量に不足する商品の数量を確認することによって、容易に在庫確認を行うことが可能になる。
【００１１】
尚、本考案において収納用引出に収納される商品には、主として医薬品販売店において販売される市販薬が該当するが、対象となる商品は薬事法により認可された医薬品に限定されるものではなく、栄養補助食品や一般の飲料、その他に医療用具、健康器具などの物品を含むものであってもよい。
【００１２】
また、本考案の好ましい形態では、少なくとも１の商品収納用引出には、効能が共通する２以上の商品が収納されていて、什器に収納された商品の内容を表示するためのサインには、前記商品収納用引出に対応する同一の引出番号が付された２以上の商品に関する商品情報が、上下又は前後の対比しやすい位置に表示されていることを特徴とする。
【００１３】
このように効能が共通する複数の医薬品がそれぞれ同一の引出に収納され、商品情報が対比しやすい位置に表示されていることにより、複数の医薬品の成分等を比較検討することが容易になり、顧客が購入する商品を選択する際に効果を有するものである。
【００１４】
さらに、本考案の好ましい形態では、１の什器には、効能を有する体の部位が共通する商品のみが収納されていて、什器に収納された商品の内容を表示するためのサインには、前記部位に関する情報が表示されていることを特徴とする。
【００１５】
従来の医薬品販売店における商品は、風邪薬、頭痛薬、胃腸薬のように、各々の症状によって分類される商品毎に固めて陳列されることが一般的であったが、本考案にかかる医薬品販売用什器を体の部位毎に設置することによって、顧客は異常を感じる部位に対応する什器から適当な商品を容易に選択することが可能となる。
【考案の効果】
【００１６】
本考案によって、医薬品販売店を訪れる顧客にとっては、異常を感じる部位から適当な医薬品を容易に発見することが可能になるとともに、同種の効能を有する複数の商品について価格や成分等を比較対照して、最適の商品を容易に選択することが可能になる。特に、ジェネリック薬（後発医薬品）のように、認知度が低くても効き目やコストパフォーマンスは優れた商品を選択するのに有効であるが、本考案によってジェネリック薬が普及すると、高齢化社会における医療費抑制といった社会的課題に対する効果も期待できる。
【００１７】
また、医薬品販売店にとっては、顧客が商品を直接手に取る機会が減少することによって、盗難のリスク等が軽減されるとともに、商品の棚卸の際には引出の収納容量に不足する商品の数量を確認することによって、在庫管理が効率化されるという効果も生じることとなる。また、利益率の高いジェネリック薬の販売が促進されることによって、医薬品販売店の収益面における効果も期待できる。
【考案を実施するための最良の形態】
【００１８】
本考案の実施の形態について、図１〜図４を用いて以下に詳細に説明する。尚、以下に説明する実施形態は本考案にかかる医薬品販売用什器の一例であって、什器のデザインや引出の数等は、かかる実施例に限定されるものではない。
【００１９】
図１は、本考案にかかる医薬品販売用什器を医薬品販売店に設置する一例を示す図である。図２は、本考案にかかる医薬品販売用什器の正面図である。図３は、本考案にかかる医薬品販売用什器の側面図である。図４は、本考案にかかる医薬品販売用什器の商品表示部の拡大図である。
【００２０】
図１は、本考案にかかる医薬品販売用什器を医薬品販売店に設置する一例を示している。本考案にかかる医薬品販売用什器のサイン部分に体の各部位を表示し、それぞれの什器には各部位に症状が出る疾病に対応する医薬品等を収納することによって、顧客は最初にサインを見て該当する部位に効果的な医薬品等が収納された什器を特定し、その中から適当な商品を選択することが可能になる。
【００２１】
サインに表示される部位には、図１に示した「頭」、「鼻」、「喉」の他に、「目」、「肩」、「腰」などの部位を表示することによって、体の各部位の症状に対応する多様な医薬品に対応することができる。また、部位別に分類して収納することによって、医薬品のみでなく、栄養補助食品や医療用具など同じ部位に用いられる商品も併せて収納することができるので、顧客は症状の程度に合わせた商品の選択が可能になる。
【００２２】
図２〜図４を用いて、本考案にかかる医薬品販売用什器の構成について説明する。図２は什器の正面図であるが、正面の一部が収納されている商品の内容を表示するサイン１０、他の一部が商品本体を収納する商品収納部２０となっている。サイン１０には、収納されている商品が効果を有する体の部位を表示する部位表示部１１と、収納されている各々の商品の内容を表示する商品表示部１２が設けられている。商品収納部２０には、複数の商品収納用引出２１が設けられ、それぞれに引出番号が付されている。また、収納されている商品の一部の見本を展示することが可能な、商品展示部２２が設けられている。
【００２３】
部位表示部１１には、文字によって体の部位が表記される他に、顧客が一目で識別できるように、体の部位をイラストによって表示することが好ましい。表示される部位の分類方法は特に限定されるものではないが、「頭」、「鼻」など外部から判別できる部位の他に、「胃」、「腸」などの内臓を特定するものであってもよい。
【００２４】
商品表示部１２における商品内容の表示は、例えば図４のように行うことができる。商品表示部１２には、１つの商品毎に、引出番号表示部１２１、商品写真表示部１２２、商品価格表示部１２３、商品効能表示部１２４、商品成分表示部１２５が設けられている。
【００２５】
引出番号表示部１２１には、商品収納部２０において当該商品が収納されている商品収納用引出２１に付された引出番号が表示される。引出番号の付与ルールは特に限定されるものではないが、図２の例では、格子状に配置された商品収納用引出２１の縦列にＡ、Ｂ、Ｃ、横列に１、２、３の順に番号を付すこととしている。
【００２６】
商品写真表示部１２２、商品価格表示部１２３、商品効能表示部１２４、商品成分表示部１２５には、引出番号表示部１２１に表示された引出番号に対応する商品収納用引出２１に収納された商品の、それぞれ商品の写真、価格、効能、成分についての商品情報が表示されている。それぞれの表示部における表示形式は特に限定されるものではないが、いずれも類似の商品との比較対照が行いやすいように、表示される項目をなるべく統一することが好ましい。尚、商品情報のうち価格については、商品収納用引出２１の中にのみ表示する場合もある。同じ商品についてサイズの異なる複数のタイプが存在する場合、同一の引出内に複数価格の商品が収納され、商品価格表示部１２３に表示しきれなくなる場合もあり得るためである。
【００２７】
尚、１つの商品収納用引出２１に１種類の商品を収納することとしてもよいが、図４の例では、１つの商品収納用引出２１に２種類以上の商品を収納することとしている。例えば、「Ａ−１」の商品収納用引出２１には「ＡＡＡ」と「ＢＢＢ」の２種類の商品が収納されている。商品内容の表示を見ると、これらの商品はいずれも頭痛、関節痛など同様の症状に効果があるものであり、成分も共通しているが、「ＢＢＢ」のほうがより多くの有効成分が含まれていると容易に把握することができる。このように、効能が共通する複数の商品を同一または隣接する商品収納用引出２１に収納し、商品情報が対比しやすい位置に表示することによって、顧客は同種の商品の中から最適の商品を容易に選択することが可能になる。
【００２８】
上記のような商品情報の対比は、ジェネリック薬のように、効き目やコストパフォーマンスは優れているものの認知度の低い商品を積極的に販売したい場合、他の商品に対する優位性が明らかになりやすいので、特に効果的である。
【００２９】
また、商品写真表示部１２２、商品価格表示部１２３、商品効能表示部１２４、商品成分表示部１２５に表示される商品情報をサイン１０から着脱可能なボードに表示して、商品の収納場所と合わせて商品情報の表示位置を適宜入れ替えることが可能なように構成してもよい。このように構成すると、販売戦略上推奨したい商品の商品情報を目につきやすい位置に配置し、商品を手に取りやすい位置に収納することによって、販売促進の効果が期待できる。
【００３０】
図３は、什器の側面図であるが、各々の商品収納用引出２１は、什器の正面に向かって引き出すことができるように構成されている。先に説明したように、同一の商品収納用引出２１に効能が共通する複数の商品を収納する場合があるが、その場合には引出内に仕切りを設けて、商品毎に区分けして収納することが好ましい。区分けされた各々の商品の収納場所には、満杯に収納した場合の収納可能数量などの基準となる数量を設定しておくことにより、棚卸の際には基準となる数量に対して空きが生じている数量を確認する「引き算」の方式によって、在庫数量を数え直さなくても不足している商品の数量を容易に把握することができる。
【００３１】
商品展示部２２は、販売戦略上推奨したい商品等のパッケージを展示することができるスペースとなっている。照明器具２３は商品展示部２２に展示された商品を照らすための照明であり、反射板２４には照明が商品を効果的に照らすための反射板が設けられている。尚、反射板２４の裏面（什器の正面側）は、商品収納用引出２１と同じデザインに仕上げることによって、正面から見た場合の全体のデザインの統一感を保持させている。
【００３２】
キャスター２５は、店内等での什器の移動の便のために設けられている。店内でレイアウト変更を行う際にも、部位毎に整理された什器をそのまま移動することが効率的なためである。
【００３３】
本考案においては、商品本体は商品収納用引出２１に収納され、顧客はサイン１０の商品表示部１２に表示された商品情報を見て商品を選択するため、実際に商品を手に取ってパッケージに表示された効能や成分等を確認することが不要になる。その結果、顧客が店内で商品を直接手に取る機会が減少するため、盗難のリスクが軽減されるとともに、顧客が手に取った商品を誤って別の収納場所に置かれてしまうというリスクも軽減されることになる。
【図面の簡単な説明】
【００３４】
【図１】本考案にかかる医薬品販売用什器を医薬品販売店に設置する一例を示す図である。
【図２】本考案にかかる医薬品販売用什器の正面図である。
【図３】本考案にかかる医薬品販売用什器の側面図である。
【図４】本考案にかかる医薬品販売用什器の商品表示部の拡大図である。
【符号の説明】
【００３５】
１０    サイン
１１    部位表示部
１２    商品表示部
１２１  引出番号表示部
１２２  商品写真表示部
１２３  商品価格表示部
１２４  商品効能表示部
１２５  商品成分表示部
２０    商品収納部
２１    商品収納用引出
２２    商品展示部
２３    照明器具
２４    反射板
２５    キャスター
【図１】
0003116274.tif 000003
【図２】
0003116274.tif 000004
【図３】
0003116274.tif 000005
【図４】
0003116274.tif 000006